(57)【要約】  【解決手段】  本発明は、生物学的技術装置の分野に属し、試験管および少なくとも１つの毛細管を含み、毛管を試験管に挿入し、毛管を提供する分取および凍結保存装置に関する。貫通して貫通する内側の長穴が設けられている。アリコート凍結保存装置は、毛細管の毛細管現象を利用して、生物学的試料を毛管に迅速かつ容易に保存する。必要に応じて、オペレーターは、生物学的サンプルの繰り返しの凍結および融解を避けるために、残りの生物学的サンプルに影響を与えることなく、使用の１つまたは複数を除去すればよい。伝統的な梱包作業と比較して、この装置は簡単に分解でき、時間、人員、資材を節約できる。  【選択図】      図１
2018527589.tif 000002
【特許請求の範囲】
【請求項１】
試験管（３００）と少なくとも１つのキャピラリー（１００）とを含み、キャピラリー管（１００）が試験管（３００）に挿入され、キャピラリー管）には、上端と下端に長孔が設けられている。
【請求項２】
前記キャピラリー（１００）は、同軸キャピラリーチューブハンドル（１１０）および毛管本体（１２０）を含むことを特徴とする請求項１に記載のアリコート凍結保存装置。毛細管ハンドルは、毛細管本体（１２０）の上端に固定して配置される。
【請求項３】
キャピラリー（１００）の外壁が非粘着性フィルムで被覆されていることを特徴とする請求項１に記載のアリコート凍結保存装置。
【請求項４】
毛細管支持体（２００）を含むことを特徴とする請求項１に記載のアリコート凍結保存装置。キャピラリ（１００）はキャピラリ支持体（２００）に通されている。（２００）の外径は、試験管（３００）の内径と一致する。キャピラリ支持台２００には周方向に一様に分布する位置決め孔２１１が設けられている。
【請求項５】
前記位置決め穴（２１１）の最小開口は、前記キャピラリ本体（１２０）の外径よりも大きく、前記キャピラリホルダ（１１０）の外径よりも小さいことを特徴とする請求項４に記載のアリコート凍結保存装置。
【請求項６】
前記キャピラリー支持体（２００）は、支持プレート（２１０）及び脚部（２２０）を含むことを特徴とする請求項４に記載のアリコート凍結保存装置。脚部（２２０）は、支持プレート（２１０）の底部外縁に設けられている。支持板（２１０）の上面は円形であり、上面中央に凸のメインハンドル（２１２）を有する。位置決め穴（２１１）は、支持板（２１０）上の主ステム（２１２）と共に環状に配列されている。
【請求項７】
前記レッグ（２２０）は、ストリップ状であり、少なくとも２つのストリップを有し、前記支持プレート（２１０）の前記底部外縁に固定して配置されていることを特徴とする請求項６に記載のアリコート凍結保存装置。支持脚（２２０）は、支持プレート（２１０）の中心の周りに円周方向に配置されている。
【請求項８】
前記脚部（２２０）が中空の円筒であることを特徴とする請求項６に記載のアリコート凍結保存装置。支持プレート（２１０）の下縁は、脚部（２２０）に適合するように凹状に形成され、脚部（２２０）は、支持プレート（２１０）の溝に挿入される。
【請求項９】
前記キャピラリーホルダー（２００）は、支持プレート（２１０）及び脚部（２２０）を備えていることを特徴とする請求項４に記載のアリコート凍結保存装置。脚部（２２０）は、帯板形状を有し、少なくとも２つのストリップを有し、支持板（２１０）の上部外縁に固定配置される。支持プレート（２１０）は円形であり、上面中央には外側に突出するメインハンドル（２１２）が設けられている。（２１１）が前記支持板（２１０）の上部に配置されていることを特徴とする請求項１に記載の方法。脚部（２２０）は、支持プレート（２１０）の中心の周りに円周方向に配置される。前記脚部（２２０）の頂部には外向きの面が設けられ、位置決めフック（２２１）の外径は、試験管（３００）の内径よりも大きい。
【発明の詳細な説明】
【技術分野】
【０００１】
本発明は、生物実験装置に関する。より具体的には、アリコートおよび凍結保存装置に関する。
【背景技術】
【０００２】
ＲＮＡ、ＤＮＡ、タンパク質溶液、生物学的試薬、細菌、培養細胞、幹細胞、患者試料、乳児臍帯血などの生体試料を分離精製した後、凍結保存技術を用いて半休眠状態または完全に休眠状態になり、ある時間枠で死ぬのを防ぐ。そして、必要に応じてサンプルの活力を回復させるための適切な条件を提供することによって、生物学的研究と応用の円滑な進展を実際に保証することができる。
【０００３】
凍結保存法は、従来の生物学的試料保存法であり、保存寿命が長く、試料の保存性が良いという長所がある。バイオサンプル保管機関のほとんどは、この方法をその主要な保存方法として採用している。
【０００４】
しかし、生物学的試料の物理的性質のために、それらは、凍結融解サイクルの間に容易に分解され、破壊され、その後の実験的、検査的および治療的効果に重大な影響を及ぼす。この問題を避けるために、オペレータは、生物学的サンプルを複数のチューブに分注し、必要に応じて適切な量のチューブを使用してサンプルあたりの凍結融解サイクル数を減らさなければなりません。しかしながら、上記のプロセスは、完了するために多大な労力と時間を必要とするだけでなく、冷凍保存を実行するスペースを有することも必要とする。このため、この方法はコストが高く、特別な冷凍装置を必要とする。ストレージと安定性の要件の問題を解決する新しい革新的な保存技術を見つけることは、ライフサイエンス分野に利益をもたらす。
【発明の概要】
【発明が解決しようとする課題】
【０００５】
本発明の目的は、上述の欠点および欠点を克服し、アリコート凍結保存装置を提供することである。
【０００６】
本発明の目的を達成するための技術的解決策は以下の通りである。  
【課題を解決するための手段】
【０００７】
試験管に少なくとも１本のキャピラリーチューブを備え、前記キャピラリーチューブを試験管に挿入し、前記キャピラリーチューブに内方の長穴を貫通させて収納する分注凍結保存装置であって、毛細管は、同軸キャピラリハンドルと毛細管本体とを含む。毛細管ハンドルは、毛細管本体の上端の所定位置に固定される。
【０００８】
キャピラリー外壁は、非粘着性フィルムで被覆されている。
【０００９】
毛細管支持体を含む、分取凍結保存装置。キャピラリーチューブはキャピラリーサポーター内に配置され、キャピラリー支持体の外径は試験管の内径と一致し、毛細管支持体には円周に均一に分布する位置決め穴が設けられている。
【００１０】
ここで、位置決め穴の最小オリフィス直径は、毛細管本体の外径よりも大きく、毛細管ハンドルの外径よりも小さい。
【００１１】
毛細管支持体は、支持プレートと支持脚とを含む。支持脚は、支持板下面の外側に立つ。支持板の上面は円形であり、上面の中央面には外側に突出したメインハンドルが設けられている。位置決め穴は、突出したメインハンドルを囲む支持プレートに配置される。
【００１２】
支持脚は、少なくとも２つのストリップからなり、支持プレートの底部の外縁に固定配置されている。脚部は、支持プレートの中心と円周状に配置されている。
【００１３】
支持脚は中空円筒である。前記支持板の下縁には前記脚部と嵌合する溝が形成されており、脚部は支持プレートの溝に埋め込まれている。
【００１４】
毛細管支持体は、支持プレートと支持脚とを含む。支持脚は、少なくとも２つのストリップを含み、支持プレートの上面の外縁に固定配置される。支持プレートの上部は円形であり、上面の中心には突出したメインハンドルが設けられている。位置決め穴は、支持板の中央突出メインハンドルの円周上に配置され、支持脚部は、支持プレートの中心の周りに円周状に配置されている。脚部の上部には外側に位置するフックが設けられている。位置決めフックの外側部分の直径は、管の内径よりも大きい。
【００１５】
アリコート凍結保存装置は、毛細管の毛細管現象を利用して、生物学的試料を毛管に迅速かつ容易に保存する。必要に応じて、オペレーターは残りの生物学的試料に影響を及ぼす代わりに１つまたは複数の試料を採取するだけでよいので、生体試料の凍結および解凍の繰り返しを回避することができる。従来の梱包作業と比較して、装置は分解しやすく、時間、人的資源および材料資源を節約する。
【図面の簡単な説明】
【００１６】
【図１】図１は実施の形態１の断面図である。
【図２】図２は実施の形態２の平面図である。
【図３】図３は実施例２の断面図である。
【図４】図４は実施例３の断面図である。
【発明を実施するための形態】
【００１７】
以下、添付の図面を参照して、本発明をより詳細に説明する。すべての図面は、本技術的解決策のみを説明するためのものであり、本特許の保護範囲を限定するものではない。
【００１８】
実施形態１
アリコート凍結保存装置は、図１に示すように、試験管３００および少なくとも１つの毛管１００を含む。
【００１９】
キャピラリーチューブ１００には、上下に貫通する内部長孔が設けられている。キャピラリーチューブ１００は、試験管３００に挿入される。
【００２０】
好ましくは、毛細管１００は、毛細管ハンドル１１０と、毛細管本体１１０と同軸上に配置された毛細管本体１２０とを含む。毛細管ハンドル１１０は、毛細管本体１２０の上端に固定して設けられる。さらに、毛細管ハンドル１１０は、毛細管本体１２０に嵌合、スナップ、接着、またはねじ加工される。毛細管ハンドル１１０は毛細管本体１２０の細孔サイズよりも大きい細孔サイズを有し、毛細管１００の生物学的試料が細管１００の底部から流出するように毛管ハンドル１１０の頂部からの空気の吹き込みを容易にする。
【００２１】
好ましくは、キャピラリーチューブ１００の外壁は、非粘着性フィルムで被覆されている。非粘着性フィルムは、プラスチックフィルムまたは他の非濡れ性フィルムである。非粘着作用の下では、キャピラリーチューブ１００の外壁は、キャピラリーチューブ１００が保管場所から取り出されたときに生物学的サンプルに付着しない。
【００２２】
キャピラリー本体１２０は、任意のタイプおよび設計のキャピラリーであり得る。キャピラリ本体１２０は、ガラスキャピラリ、シリコンキャピラリ、プラスチックキャピラリ、またはプラスチック被覆ガラスキャピラリであることが好ましい。より好ましくは、毛細管本体１２０は、強度を高めるためにプラスチックでコーティングされたガラス毛細管である。
【００２３】
組み立て中、オペレータは、キャピラリハンドル１１０をつまんで生物学的サンプルを含むチューブ３００内にキャピラリチューブ１００を配置する。キャピラリによって、チューブ３００内の生体サンプルは自動的にキャピラリ１００にほぼ均一に入る。  次いで、装置全体を低温で貯蔵する。オペレータは、必要に応じて、キャピラリハンドル１１０を把持してキャピラリ１００の１つを取り出し、生体試料を採取する。同時に、他のすべてのサンプルはまだフリーズしています。数秒後、キャピラリーチューブ１００内の生物学的サンプルを解凍して、次のステップで使用するために新しいチューブに入れる。
【００２４】
実施形態ＩＩ
図２および図３に示すように、アリコート凍結システムは、試験管３００と、毛管支持体２００と、少なくとも１つの毛管１００とを含む。
【００２５】
キャピラリーチューブ１００には、略穿設された内部長孔が設けられている。キャピラリーチューブ１００は、キャピラリーサポーター２００に挿入される。毛細管１００は、毛細管ハンドル１１０と、同軸に配置された毛細管本体１２０とを含む。キャピラリハンドル１１０は、キャピラリ本体１２０の上端に固定されて配置され、好ましくは、キャピラリハンドル１１０がキャピラリ本体１２０に挿入され、ひっくり返され、接着され、またはネジ止めされる。毛細管ハンドル１１０は、細管本体１２０の細孔サイズよりも大きい細孔サイズを有し、毛管１００内の生体試料が細管の底部から流出するように、細管ハンドル１１０の頂部から空気を吹き込むことを容易にする。
【００２６】
キャピラリー本体１２０は、任意のタイプおよび設計のキャピラリーであり得る。好ましくは、毛細管本体１２０は、ガラス毛細管、シリコン毛管、プラスチック毛細管、またはプラスチック被覆ガラス毛細管である。より好ましくは、毛管本体１２０は、強度を高めるためにプラスチックでコーティングされたガラス毛管である。
【００２７】
好ましくは、キャピラリーチューブ１００の外壁は、非粘着性フィルムで被覆されている。非粘着性フィルムは、プラスチックフィルムなどの非濡れ性フィルムを使用する。非粘着性フィルムの作用下で、キャピラリーチューブ１００ａを取り出す際に、キャピラリーチューブ１００の外壁が生体試料に付着しないストレージ。
【００２８】
キャピラリサポータ２００には、円周方向に均一に分布する位置決め穴２１１が設けられている。位置決め穴２１１の最小オリフィス径は、キャピラリ本体１２０の外径よりも大きく、毛細管ハンドル１１０を含む。
【００２９】
好ましくは、位置決め穴２１１の底面は内側に傾斜しており、位置決め穴２１１にキャピラリチューブ１００を挿入すると、キャピラリチューブ１００の底面が試験管３００の底面の凹部に近接する毛管１００が十分な量の試料を吸収するようにする。
【００３０】
位置決め孔２１１は、上下が狭い円筒状に形成されていることが好ましい。キャピラリーチューブ１００が位置決め穴２１１に挿入されると、キャピラリーチューブ１００の底部が適切に移動して、キャピラリーチューブ１００が試料の一部を選択しやすくなる。
【００３１】
毛細管支持体２００の外径は、試験管３００の内径と一致している。キャピラリ支持台２００は、支持板２１０と支持脚２２０とを備え、支持板２１０の底部の外縁には脚２２０が配置されている。支持板２１０の上面は円形であり、上面の中央にはメインハンドル２１２が設けられている。突出したメインハンドル２１２を中心にして支持板２１０に位置決め孔２１１が環状に配列されている。
【００３２】
好ましくは、脚部２２０は、ストライプ状であり、少なくとも２つのストリップを有し、支持プレート２１０の底部外縁部に固定して配置される。脚部２２０は、支持プレート２１０の周囲に円周方向に配置される。例えば、２つの脚部２２０がある場合、２つの脚部２２０は、支持プレート２１０の基部の外縁部に相対的に固定される。３つの脚部２２０がある場合、３つの脚部２２０は、正三角形の各頂点に配置される。
【００３３】
これに代えて、脚部２２０は中空の円筒である。支持プレート２１０の下端部は、脚部２２０に適合する溝を形成するように凹んでいる。脚部２２０は、支持プレート２１０の溝に挿入される。
【００３４】
組み立て中、オペレータは、突出したメインハンドル２１２を締め付けることによって、生物学的サンプルを含む試験管３００内に毛管支持具２００を配置する。脚部２２０の底部は、試験管３００の内壁に当接して毛細管ホルダー２００の高さを位置決めし、毛細管１００を毛管ホルダー２００に挿入する。毛細管現象を利用して、チューブ３００内の生物学的サンプルは自動的にキャピラリー１００にほぼ均一に進入する。次いで、装置全体を低温で貯蔵する。オペレータは、必要に応じて、キャピラリハンドル１１０を把持してキャピラリ１００の１つを取り出し、生体試料を採取する。同時に、他のすべてのサンプルはまだフリーズしています。数秒後、キャピラリーチューブ１００内の生物学的サンプルを解凍して新しいチューブに入れ、使用する。
【００３５】
実施形態ＩＩＩ
本実施形態では、図４に示すように、キャピラリホルダ２００は、支持板２１０と支持脚２２０とを備えている。
【００３６】
脚部２２０は、少なくとも２つのストリップであり、支持プレート２１０の頂部の外縁に固定して配置される。脚部２２０は、支持プレート２１０を円周方向に取り囲んでいる。例えば、２つの脚部２２０が設けられている場合、２つの脚部２２０は、支持プレート２１０の上部の外縁に相対的に固定される。３つの脚部２２０がある場合、３つの脚部２２０は、正三角形の各頂点に配置される。脚部２２０の上部には、外側に位置するフック２２１が設けられる。位置決めフック２２１の外径は、試験管３００の内径よりも大きい。
【００３７】
設置時には、試験管３００の開口部に位置決めフック２２１をスナップ止めして、キャピラリホルダ２００の高さを位置決めする。
【００３８】
本実施形態のその他の部分は、実施形態２と同様であるので、説明を省略する。
【００３９】
実施形態Ｉ、ＩＩおよびＩＩＩにおいて、装置は、冷凍凍結ユニットと共に使用される。凍結装置の作用下で、装置は、生物学的サンプルの凍結保存を確実にするために、−８０℃〜−２０℃の温度範囲にある。
【００４０】
本発明は、実施形態を参照して説明されており、本発明の原理から逸脱することなく、いくつかの変更および改良を行うことができる。同等の置換または同等の変換によって得られる技術的解決法は、本発明の範囲内であることに留意すべきである。
【符号の説明】
【００４１】
１００...毛細管
１１０...毛管ハンドル
１２０...毛管体
２００...毛細血管支持体
２１０...支持板
２１１...位置決め穴
２１２...主ハンドル
２２０...脚
２２１...位置決めフック
３００...試験管
【図１】
2018527589.tif 000003
【図２】
2018527589.tif 000004
【図３】
2018527589.tif 000005
【図４】
2018527589.tif 000006
【国際調査報告】
2018527589.tif 000007
2018527589.tif 000008
2018527589.tif 000009
2018527589.tif 000010
2018527589.tif 000011
2018527589.tif 000012